(57)【特許請求の範囲】
【請求項１】
少なくとも一つの切換状態を維持するための固定された接触部材と、この固定された接触部材に設けられている切換を行うための切換接触部材とを収容するケーシング（１）を備え、このケーシング（１）に、切換位置で切換接触部材を操作する少なくとも一つの操作部材（５）が切換が行われる方向に可動に支承されると共に、電気スイッチの切換状態を定める形付きカム機構（２）を備えており、この形付きカム機構（２）が切換操作力を形成するために、操作部材（５）に設けられているばねで付勢された押圧片（３）と協働し、ケーシング（１）が弾性的に付勢された保持部材（４）を備え、この保持部材を介して、当該電気スイッチが保持部材（４）の錠止位置において収容体の部分内の正しい位置に固定可能である様式の電気スイッチにおいて、
当該電気スイッチの少なくとも一つの操作部材（５）が、伝達機構を介して保持部材（４）に連結可能とされており、そして、操作部材（５）に加える力を、上記切換操作力よりも増大させるときに切換位置でない機能位置にもたらされることが可能であり、この機能位置で保持部材（４）がその解錠位置にもたらされることが可能に構成されていることを特徴とする電気スイッチ。
【請求項２】
操作部材（５）の前記機能位置がその操作方向に関して切換が行われる位置の手前に配置されていることを特徴とする請求項１の電気スイッチ。
【請求項３】
操作部材（５）の前記機能位置がその操作方向に関して切換が行われる位置の後方に配置されていることを特徴とする請求項１または２の電気スイッチ。
【請求項４】
操作部材（５）の前記機能位置が調節によって達成され、この調節が行われる方向が切換位置を達成するために必要な操作方向と異なっていることを特徴とする請求項１〜３のいずれか一つの電気スイッチ。
【請求項５】
操作部材（５）の前記機能位置はその回転動作、引張り動作および押し動作による調節によって達成されることを特徴とする請求項１〜４のいずれか一つの電気スイッチ。
【請求項６】
前記機能位置を達成するために必要な力を前記切換操作力よりも増大させるときに、形付きカム機構（２）と押圧片（３）の協働によって達成されることを特徴とする請求項１〜５のいずれか一つの電気スイッチ。
【請求項７】
保持部材（４）がケーシング（１）内で摺動可能に案内されてケーシング（１）から外に突出可能な少なくとも一つの保持部材（４）を備え、この保持部材（４）がコイル圧縮ばね（８）の力によってその錠止位置にもたらされるように形成されていることを特徴とする請求項１〜６のいずれか一つの電気スイッチ。
【請求項８】
伝達機構が保持部材（４）に面している操作部材（５）の下側に一体に成形されていることを特徴とする請求項１〜７のいずれか一つの電気スイッチ。
【請求項９】
伝達機構が操作部材（５）の下側に成形された少なくとも一つの段差部（１０）から成り、この段差部(１０)の段差縁部が保持部材（４）に成形された操作突起（９）と協働することを特徴とする請求項８の電気スイッチ。
【請求項１０】
段差部（１０）の段差縁部が操作部材（５）の調節方向に対して斜めに延びている操作面を備えていることを特徴とする請求項９の電気スイッチ。
【請求項１１】
保持部材（４）に成形された操作突起（９）は保持部材（４）の摺動方向に対して斜めに延びる側面を備えており、伝達機構の段差部(１０)の斜めに延びる段差縁部と協働するように構成されていることを特徴とする請求項１０の電気スイッチ。
【請求項１２】
ケーシング（１）内を摺動可能に案内される二つの保持部材（４）を備えていることを特徴とする請求項１〜１１のいずれか一つの電気スイッチ。
【請求項１３】
操作部材（５）が回転動作、引張り動作および押し動作を伝達する複合切換ボタン（５）として形成され、この複合切換ボタンの保持部材（４）に面していて、壺状に形成された下側が、伝達機構を形成する二つの段差部（１０）分だけ拡大されて段状に形成されており、各々の段差部（１０）の端面側の段差縁部がケーシング（１）内を摺動可能に案内されている両保持部材（４）の操作突起（９）と係合可能とされており、複合切換ボタン（５）の回転軸（６）が二つの収容室を備えており、これらの収容室がそれぞれ係止ばね（７）で付勢された押圧片（３）を収容しており、この押圧片（３）がそれぞれケーシング（１）内に定置保持された形付きカム機構（２）に摺動可能に保持されていることを特徴とする請求項１の電気スイッチ。
【請求項１４】
操作部材（５）の前記機能位置が組合わせられた押圧動作と回転動作を行う操作によって達成されることを特徴とする請求項１３の電気スイッチ。
【請求項１５】
少なくとも一つの操作部材（５）が切換揺動部材として形成されていることを特徴とする請求項１〜１４のいずれか一つの電気スイッチ。
【請求項１６】
少なくとも一つの操作部材（５）が回転ボタンとして形成されていることを特徴とする請求項１〜１５のいずれか一つの電気スイッチ。
【請求項１７】
少なくとも一つの操作部材（５）が押しボタンとして形成されていることを特徴とする請求項１〜１６のいずれか一つの電気スイッチ。
【請求項１８】
少なくとも一つの操作部材（５）が摺動ボタンとして形成されていることを特徴とする請求項１〜１７のいずれか一つの電気スイッチ。
【発明の詳細な説明】
【０００１】
【産業上の利用分野】
本発明は、少なくとも一つの切換状態を維持するための固定された接触部材と、この固定された接触部材に設けられている切換を行うための切換接触部材とを収容するケーシングを備え、このケーシングに、切換位置で切換接触部材を操作する少なくとも一つの操作部材が切換が行われる方向に可動に支承され、当該電気スイッチの切換状態を定める形付きカム機構を備えており、この形付きカム機構が切換操作力を形成するために、操作部材に設けられているばねで付勢された押圧片と協働し、ケーシングが弾性的に付勢された保持部材を備え、この保持部材を介して、当該電気スイッチが保持部材の錠止位置において収容体の部分内の正しい位置に固定可能である様式の電気スイッチに関する。
【０００２】
【従来の技術】
このような電気スイッチは、切換接触部分を調節することによって一つまたは複数の電気回路を遮断または閉鎖するために設けられている。このような電気スイッチは、良好な取扱操作のために、保持部材を介して収容体の部分内の正しい位置に固定される。しかし、電気スイッチを収容体から再び取り外す必要がしばしば生じる。
【０００３】
この種の電気スイッチは多数知られている。このような電気スイッチをその収容体の部分から再び取り外すときには、先ず第１に、所定のスイッチ部品の分解および／または適当な工具の補助が必要である。一方ではこのような分解は多大の労力につながり、他方では分解のために適切な工具が供されるとは限らない。
【０００４】
【発明が解決しようとする課題】
本発明の根底をなす課題は、工具を用いないで、および所定のスイッチ部品を予め分解しないで、必要時に収容体の部分から容易にかつ簡単に再び取り外すことができる、冒頭に述べた種類の電気スイッチを提供することである。
【０００５】
【課題を解決するための手段】
この課題は、本発明により、当該電気スイッチの少なくとも一つの操作部材５すなわち複合切換ボタン５が、伝達機構を介して保持部材４に連結されており、かつ力を増大させたときに切換位置でない機能位置にもたらされることが可能であり、この機能位置で保持部材４がその解錠位置にもたらされているように構成されていることによって解決される。
【０００６】
このような構成の場合、電気スイッチおよび／または収容体が取り外しによって損傷する危険が無くなるという利点がある。
他の有利な実施形は従属請求項に記載してある。
【０００７】
【実施例】
以下に図に示した実施例に基づいて本発明を詳細に説明する。
この場合、本発明による電気スイッチにとって重要でない全ての部品は、図面を簡略化するため、図には示さなかった。同じ部品には同じ参照符号を付した。
【０００８】
図から判るように、電気スイッチは主として、切換のための接触動作部と固定された接触動作部を収容するケーシング１から成っている。このケーシング１は、保持部材４を操作する操作部材５が切換が行われる方向に可動に支承されている。いろいろな切換状態を達成するために、ケーシング１内において上記の操作部材５には固定されている二つの形付きカム機構２が設けられている。切換状態を形成するためには、両形付きカム機構２の成形曲面部はそれぞればねで付勢された押圧片３と協働する。更に、ケーシング１内には、このケーシング１内で摺動可能に案内されている二つの保持部材４が設けられている。
【０００９】
特に図１および５から明瞭であるように、ケーシング１内において保持部材４に従属して可動に支承されている操作部材５は、回転動作、引張り動作および押し動作を伝達する複合切換ボタンとして形成されている。
【００１０】
前記複合切換ボタン５は回転軸６を介してケーシング１に支承されている。異なる切換位置を達成するために、複合切換ボタン５は回転によって先ず最初に三つの異なる切換位置にもたらされる。引張り動作または押し動作によって、複合切換ボタン５は更に、三つの異なる切換面Ａ、Ｂ、Ｃに達する。その際、これらの切換面Ａ，Ｂ，Ｃは複合切換ボタン５を回転させることによって達される複数の切換状態を形成する。必要な操作力を形成するために、二つの押圧片３はそれぞれ係止ばね７の作用を受けて形付きカム機構２の成形曲面部に当接する。二つの係止ばね７と両押圧片３を収容するために、１８０°位置ずれして設けられた二つの収容空域が回転軸６内に設けられているので、両押圧片３は係止ばね７のばね力に抗して摺動可能に保持される。成形曲面部を形成することにより、かつばね作用を受けている押圧片３によって、複合切換ボタン５は異なる切換面Ａ，Ｂ，Ｃによるそれらの異なる切換状態に保持される。更に、二つの形付きカム機構２の各々は、図において参照符号Ｘで示した領域を有している。これらの領域Ｘによって、複合切換ボタン５の操作時に打ち勝つべき力が大きくなる。この力に打ち勝つことにより、保持部材４がその解錠位置（図４）にもたらされる。
【００１１】
これらの領域Ｘは、操作時に使用者がはっきりした力の増大を感知できるように形成されている。この力の増大は、複合切換ボタン５がその機能位置にもたらされたという意識がなされる程の大きさである。この機能位置にあっては、先ず押し動作によって複合切換ボタン５が最も下方の切換面Ｃにもたらされ、次いでその回転軸６を中心にして回転されることが必須な要件である。この必須な回転運動は、最も下の切換面Ｃ内で切換位置が達成される回転運動に抗する運動である。複合切換ボタン５が前記の動作の組合わせによって、および過大な労力を費やしてその機能位置にもたらされて始めて、保持部材４が解錠位置にもたらされる。複合切換ボタン５が発生する力に抗してその上記機能位置に保持されるときにのみ、当該電気スイッチをその収容体の開口部分から容易にかつ簡単に取出すことができる。複合切換ボタン５から手を離すと、保持部材４は自動的に錠止位置に戻る。
【００１２】
二つの保持部材４はスライダ様式で形成され、それぞれ当接しているコイル圧縮ばね８のばね力に抗してケーシング内に摺動可能に保持されている。保持部材４をスライダ様式に形成することにより、当該電気スイッチはその収容体内に確実に保持され、保持部材４はその錠止位置にある。簡単な引張り動作によっては、電気スイッチは収容体から外すことができない。なぜなら、保持部材４が収容体の係止縁部に係合しているからである。両保持部材４の各々に、操作突起９が成形されている。この操作突起９は合成樹脂で作られた保持部材を摺動させるために、伝達機構と協働する。
【００１３】
この伝達機構は合成樹脂で作られた複合切換ボタン５の、保持部材４に面した下側に一体的な部材として成形されている。複合切換ボタン５の壺状下側は、伝達機構を形成するために、それぞれ一つの段差部１０を形成する二つの段部によって、保持部材４の方向に広がっている。保持部材４を操作するために、両段差部１０のそれぞれ一つの段差縁部が保持部材４の操作突起９に接触する。複合切換ボタン５が回転運動によってその機能位置にもたらされると、段差部１０の段差縁部は、保持部材４をコイル圧縮ばね８の力に抗してケーシング１内に戻す。それによって、保持部材４は電気スイッチを図示していないその収容体から取出すために、道を空ける。
【００１４】
図２から明瞭であるように、押し動作によって保持部材４をその解錠位置にもたらすことが可能である。
その目的で、伝達機構として成形された段差部１０は、この伝達機構の調節方向に関して斜めに延びる操作面を備えている。この操作面は保持部材４を調節するために、これらの保持部材４の摺動方向に対して斜めに延びる側面に当接する。その際、この側面はそれぞれ、両保持部材４の操作突起９に成形されている。伝達機構の押し動作によって、斜めに延びる操作面と、斜めに延びる側面は順次滑動し、その際保持部材４をコイル圧縮ばね８のばね力に抗してケーシング１内に引戻す。従って、保持部材４は電気スイッチをその収容体から取出すために道を空ける。
【００１５】
【発明の効果】
本発明の電気スイッチは、分解するための工具を用いないで、および所定のスイッチ部品を予め分解しないで、必要時に収容体の部分から容易にかつ簡単に取出すことができる。更に、電気スイッチおよび／または収容体が取外しによって損傷する危険が無くなるという利点がある。
【図面の簡単な説明】
【図１】  保持部材の第１の機能原理を示す図である。
【図２】  保持部材の第２の機能原理を示す図である。
【図３】  電気スイッチを部分的に切断して示す底面図である。この場合、保持部材はその錠止位置を占めている。
【図４】  電気スイッチを部分的に切断して示す底面図である。この場合、保持部材はその解錠位置を占めている。
【図５】  電気スイッチの一部の横断面図である。
【符号の説明】
１                ケーシング
２                形付きカム機構
３                押圧片
４                保持部材
５                操作部材（複合切換ボタン）
６                回転軸
７                係止ばね
８                コイル圧縮ばね
９                操作突起
１０              段差部
Ａ，Ｂ，Ｃ        切換面
【図１】
0004233613.tif 000002
【図２】
0004233613.tif 000003
【図３】
0004233613.tif 000004
【図４】
0004233613.tif 000005
【図５】
0004233613.tif 000006